(57)【特許請求の範囲】
【請求項１】
ドア形式に開閉可能な蓋部を有する背表紙標題紙の見出収納部であって、
該見出収納部は背表紙標題紙を１乃至数枚保持する扁平状の函体又は函体形状の標題紙フォルダー部を具備し、
該フォルダー部は透光性の蓋部を有し、
前記フォルダー部外周部四辺のうち一辺にヒンジ部が設置され、
該ヒンジ部が設置された辺以外の少なくとも一辺に前記蓋部の開閉可能なとめ具付起立部が設置され、
前記フォルダー部には標題紙が貫通されて支持される突起が設置され、かつ突起受が設置された、
ことを特徴とする背表紙標題紙の見出収納部を具備する背見出収納具。
【請求項２】
その位置で蓋部の取外可能な背表紙標題紙の見出収納部であって、
該見出収納部は背表紙標題紙を１乃至数枚保持する扁平状の函体又は函体形状の標題紙フォルダー部を具備し、
該フォルダー部は透光性の蓋部を有し、
前記フォルダー部外周部四辺のうち、少なくとも対向する二辺に前記蓋部の取外可能なとめ具付起立部が設置され、
前記とめ具付起立部は、前記蓋部と下板部の双方に設置され、かつとめ具が双方の起立部に設置された、
ことを特徴とする背表紙標題紙の見出収納部を具備する背見出収納具。
【請求項３】
フォルダー部には標題紙が貫通されて支持される突起が設置され、かつ突起受が設置された請求項２の背見出収納具。
【請求項４】
フォルダー部に標題紙脱落防止可能係止部が設置されたか又は当該目的実現可能な係止具が添付された請求項１乃至請求項３いずれか記載の背見出収納具。
【請求項５】
請求項１乃至請求項４いずれか記載の背見出収納具が設置されたファイリング用具、アルバム、書籍、紙誌。
【発明の詳細な説明】
【技術分野】
【０００１】  牽引用つけ札の保護具に関する。
【背景技術】
【０００２】  本発明は、新規な背見出収納具を作る発明である。  本発明は、背見出収納具標題紙フォルダー部を、扁平状の函体又は函体形状に成型し、当該フォルダー部の蓋部をドア型に開閉可能とするか又はその位置でそっくり着脱（設置取外）ができるものに装着し、背表紙標題紙の着脱を自由に行うことができるようにするものである。  背見出収納具において、標題紙の着脱を自由に行うようにするためには、大きくみて、２つのアプローチ方法がある。  ひとつは、標題紙フォルダー部表側シート（又は蓋部）を、その位置においてドア形式に開閉可能とするか又は着脱（設置取外）可能とするかいずれかの方法によって行なう方法である。  ふたつ目は、標題紙フォルダー部表側シート（又は蓋部）を、非開閉型のままで対応する方法、つまり標題紙フォルダー部の長尺方向中側か又は端に標題紙着脱口を設置し、何らかの形で標題紙の摺動性を確保する方法である。  本発明は、前者のアプローチ方法によって、標題紙の着脱を自由に行なおうとするものである。  これまでの調査によれば、市販商品及び従来技術文献において、開閉可能又は取外可能な蓋部を有する背見出収納具を有するものはない。  しかしながら従来技術文献において本発明に比較的近いと思われる技術文献は以下のとおりである。  ファイル用綴じ具において、上面が開口したファイルを綴じる箱型の技術を提案したものがある。（例えば、特許文献１参照）。  しかし当該技術は、背見出収納具に関する技術ではない。またとめ具付起立部は設置されていない。（特許文献１参照）。  また、くるみ表紙型の背見出収納部を有し、標題紙の着脱自在を標榜した技術文献がある。（例えば、特許文献２参照）。  しかし当該技術は、標題紙フォルダー部の表側シートが開閉可能又はその位置においてそっくり取外可能とした技術を有さない。また背見出収納部にとめ具付起立部を設置する技術も有していない。（特許文献２参照）。  また、背表紙標題紙の見出し保持具において、標題紙フォルダー部の天部端に標題紙着脱口を設置し、標題紙をスライドさせて着脱する保持具に関する技術を提案したものがある。（例えば、特許文献３参照）。  当該技術は、背表紙部に沿って上下に標題紙をスライドさせて着脱するものである。蓋部をドア型に開閉可能としたか又はその位置においてそっくり着脱可能（設置取外）とした技術ではない。また当該技術には、とめ具付起立部は設置されていない。函体内部に突起が設置されているが、標題紙が貫通されて支持される本発明の突起とは異なる。（特許文献３参照）。
【先行技術文献】
【特許文献】
【０００３】
【特許文献１】特開２００４−３４５４４号公報
【特許文献２】実開昭５９−１７９０８０号公報
【特許文献３】実開平５−７４８８１号公報
【発明の概要】
【発明が解決しようとする課題】
【０００４】  本発明は、背見出収納部標題紙フォルダー部を、扁平状の函体又は函体形状に成型し、当該フォルダー部の蓋部をドア型に開閉可能とするか又はその位置でそっくり着脱（設置取外）ができるものに装着し、背表紙標題紙の着脱を自由に行うことができるようにするものである。  このため、本発明においては、次の二つの課題を設定した。  第１の課題は、標題紙の着脱を自由に行うことができるようにすること。  第２の課題は、意に反して蓋部が開いてしまったときでも、設置された標題紙が、直ちに脱落落下しないような措置を講ずること。
【課題を解決するための手段】
【０００５】  第１の課題を実現するため、本発明では、背見出収納具標題紙フォルダー部の蓋部をドア型に開閉可能か又はその位置でそっくり着脱（設置取外）可能に装着する。
背見出収納具の蓋部を開閉可能とするか又はその位置でそっくり取り外すことが可能であれば、標題紙の着脱は容易である。
標題紙フォルダー部の蓋部をドア型に開閉可能とするために、標題紙フォルダー部外周部の一辺にヒンジ部を設け（当該ヒンジ部に蝶番部か又は折曲部を設け）、当該フォルダー部外周部の他辺にとめ具付起立部を設置することとした。
また着脱（設置取外）可能な標題紙フォルダー部の蓋部とするため、標題紙フォルダー部外周部の少なくとも対向する二辺にとめ具付起立部を設け、当該フォルダー部を着脱可能（設置取外）可能とした。
第２の課題を実現するため、本発明では、背見出収納部の内部に標題紙が意に反して開いてしまっても、直ちに脱落落下しないように、標題紙が貫通されて支持される突起、標題紙脱落防止可能係止部を設置することとした。
【発明の効果】
【０００６】  背表紙標題紙を自由に着脱できる背見出収納具を提供できる点が従来にない有利な点である。
本発明により、幅の規格を一定させた背見出収納具を、単体として製造販売することも可能である。また本発明の背見出収納具に、ファイリング用具や書籍等のリフレッシュ及び装飾向上を図る機能を付加することもできる。
【図面の簡単な説明】
【０００７】
【図１】本発明の背見出収納具の実施例の１例がファイリング用具の背表紙部に設置された模様を表した斜視図である。
【図２】請求項４に基づいて作成した背見出収納具の斜視図であり、ヒンジ部は折曲型であり、標題紙フォルダー部長尺部外周部に標題紙脱落防止可能係止部が設置され、標題紙フォルダー部に突起及び突起受が設置されたものの１例である。
【図３】図２の正面図である。
【図４】図３の右側面図である。
【図５】図２及び図３で示したとめ具付起立部のとめ具部分が係合した模様の１例を示した拡大模式図である。
【図６】図２及び図３で示した地部側の標題紙脱落防止可能係止部の１例を拡大して示した斜視図である。
【図７】突起が設置された請求項４の実施例の１例を示した平面図であり、ヒンジ部は折曲型であり、標題紙フォルダー部外周部にとめ具付起立部と標題紙脱落防止可能係止部の役目を兼ねた起立部が設置され、天部に突起及び突起受が設置され、地部に標題紙脱落防止可能係止部が設置されたものである。
【図８】請求項１、請求項３の突起の１例の正面図である。
【図９】図８の突起の突起受の平面図である。
【図１０】図９の突起受の正面図である。
【図１１】請求項２に基づいて作成した背見出収納具の１例の正面図であり、標題紙フォルダー部長尺方向端部双方に標題紙脱落防止可能係止部を設置し、標題紙フォルダー部短尺方向端部双方に取外可能なとめ具付起立部を設置した背見出収納具の分解斜視図である。
【発明を実施するための形態】
［総記］
【０００８】  本発明の各請求項に基づく背見出収納具各部の素材の選定、構造、組み立て方等及び本明細書に記載された事項に基づく対応は本発明の設計事項とする。また本発明の背見出収納具各部にカラーの素材を使用すること、縁取りを設けること、フリル等を設置することは、本発明の範囲とする。
図１は、本発明の背見出収納具の実施例の１例がファイリング用具の背表紙部に設置された模様を表した斜視図である。
【実施例１】【０００９】
【実施例１】
図２から図６までが、実施例１の説明図である。
図２は、請求項４に基づいて作成した背見出収納具の斜視図であり、ヒンジ部は折曲型であり、標題紙フォルダー部長尺部外周部に標題紙脱落防止可能係止部が設置され、標題紙フォルダー部に突起及び突起受が設置されたものの１例である。
図３は、図２の正面図である。
図４は、図３の右側面図である。
図５は、図２及び図３で示したとめ具付起立部のとめ具部分が係合した模様の１例を示した拡大模式図である。
図６は、図２及び図３で示した地部側の標題紙脱落防止可能係止部の１例を拡大して示した斜視図である。
本発明の背見出収納具は、扁平状で函体又は函体形状であり、標題紙フォルダー部の蓋部はドア形式に開閉可能か又は着脱（設置取外）可能である。
本発明では、開閉可能な蓋部とするため、標題紙フォルダー部外周部の一辺にヒンジ部を設定し、当該ヒンジ部として蝶番部又は折曲部を設置する。そして、他の三辺の少なくとも一辺に着脱可能なとめ具付起立部を設置する。
図２のＡは下板部、Ｂは蓋部、Ｃは折曲部、Ｄは起立部である。
着脱可能なとめ具は、ｄ−１とｄ−３の間に設置されている。
本例のとめ具（ファスナー）が係合する様子を模式的に拡大図示したのが、図５である。
標題紙はｄ−１、ｄ−２それぞれの天板下の間に設置され、ｘ−１に貫通される。標題紙はｄ−１、ｄ−２それぞれのカギ型の部分に挟まれ、ｘ−１に貫通され、脱落が防止される。
ｄ−１及びｄ−２は、標題紙を左右側から係止する役目を果たす。ｘ−１は、標題紙を貫通し支持する役目を果たす。
起立部の高さは、少なくとも、標題紙が挟まれる空間ができる高さがあれば良い。
本例のようなとめ具を設置する場合には、とめ具の係合部を考慮して起立部の高さを決める必要がある。
標題紙脱落防止可能係止部は、必ずしもこの全てが必要なわけではない。適宜、その形態及び設置位置等を検討する必要がある。
例えば、標題紙が比較的厚くかつ、折れ曲がりにくい場合は、ｘ−１だけで充分なこともある。しかしながら、標題紙が比較的薄くしかも軟弱な場合は、ｄ−１、ｄ−２及びｘ−１全部があると良い。
カギ型の張出部の長さは、適宜、製造する背見出収納具に求められる内容を考慮して決める必要がある。
なお、背見出収納具は、対象物品の背表紙角部が面取りされている場合は、それに合わせて面取りすると良い。背見出収納具の標題紙掲示部の底面は、目的を果たすことができるものであれば、設置される対象物品の背表紙部の表面より多少小さくても、大きくても良い。
なお、本背見出収納具に可撓性のシートを設置し、背表紙をくるんで対象物品に設置する単独販売商品とすることもできる。
【実施例２】
【００１０】  実施例２の説明図は、図７である。
図７は、突起が設置された請求項４の実施例の１例を示した平面図であり、ヒンジ部は折曲型であり、標題紙フォルダー部外周部にとめ具付起立部と標題紙脱落防止可能係止部の役目を兼ねた起立部が設置され、天部に突起及び突起受が設置され、地部に標題紙脱落防止可能係止部が設置されたものである。【００１１】実施例３の説明図は、図１１である。
図１１は、請求項２に基づいて作成した背見出収納具の１例の正面図であり、標題紙フォルダー部長尺方向端部双方に標題紙脱落防止可能係止部を設置し、標題紙フォルダー部短尺方向端部双方に取外可能なとめ具付起立部を設置した背見出収納具の分解斜視図である。
本実施形態の下板部と蓋部に設置されたとめ具付起立部は、標題紙フォルダーをできるだけ広くするため、標題紙フォルダー部外周部の端に、僅かに互い違いにずらせて設置されている。本例では、双方の起立部のすれ違い面に、摩擦力により着脱可能な小さなフック（凹凸部）が設置されているが、図が煩雑になるため、当該フック部の表示は省略している。
ｙ−１は、天部側の標題紙脱落防止可能係止部である。ｙ−２は、地部側の標題紙脱落防止可能係止部である。
本発明の最良の実施形態は、実施例３である。
図８は、請求項２の突起の１例の正面図である。
図９は、図８の突起の突起受の平面図である。
図１０は、図９の突起受の正面図である。
ｘ−１は突起である。ｘ−２は、突起受である。突起は、標題紙の脱落防止手段である。標題紙は、ｘ−１の突起に、刺し通されて設置される。
ｘ−１の突起は、頭部を危険でない程度に尖らせると良い。また、下板部の付根付近を多少細くして、標題紙が容易に脱落落下しないような工夫も必要である。
突起及び突起受には、それぞれ当該突起及び当該突起受を支えるパッチ等を設置してもよい。また、突起は必ずしも、直線状でなくとも良い。標題紙が掲示される形態であれば、突起の形態は自由である。
【符号の説明】
【００１２】Ａ  開閉可能な背見出収納具の下板部
Ｂ      同上                蓋部
Ｃ      同上                折曲式ヒンジ部
Ｄ      同上                起立部
ｄ−１  とめ具付起立部に連接された標題紙脱落防止可能係止部（とめ具はファスナー）
ｄ−２  起立部に連接された標題紙脱落防止可能係止部
ｄ−３  起立部に連接されたとめ具の差込部（とめ具はファスナー）
ｘ−１  突起
ｘ−２  突起受
ｅ−２  標題紙脱落防止可能係止部（地部）
Ｈ  取外可能な背見出収納具の下板部
Ｊ      同上                蓋部
ｋ−１  とめ具付起立部に連接された標題紙脱落防止可能係止部（とめ具はフック）
ｋ−２  とめ具付起立部に連接された標題紙脱落防止可能係止部（とめ具はフック）
ｙ−１  標題紙脱落防止可能係止部（天部）
ｙ−２  標題紙脱落防止可能係止部（地部）
【要約】【課題】扁平状の函体又は函体形状の背見出収納部の蓋部を開閉可能又は取外可能に装着し、標題紙の脱落防止を図る。【解決手段】背見出収納部標題紙フォルダー部外周部の一辺にヒンジ部を設置し、他辺に蓋部の開閉可能なとめ具付起立部を設置するか又は少なくとも対向する二辺に蓋部の取外可能なとめ具付起立部を設置し、標題紙脱落防止可能係止部を設置する。【選択図】図１１【図１】
0005292565.tif 000002
【図２】
0005292565.tif 000003
【図３】
0005292565.tif 000004
【図４】
0005292565.tif 000005
【図５】
0005292565.tif 000006
【図６】
0005292565.tif 000007
【図７】
0005292565.tif 000008
【図８】
0005292565.tif 000009
【図９】
0005292565.tif 000010
【図１０】
0005292565.tif 000011
【図１１】
0005292565.tif 000012